(57)【要約】【課題】従来と比べて支柱の荷重負担を軽減しつつ、支柱コストを削減すること。【解決手段】複数の支柱２０と防護ネット３０とを具備し、支柱２０の上部に突設した張出ブラケット２５を介して防護ネット３０の上辺を支柱２０の上部山側に所定の距離Ｘを隔てて取り付け、受撃時に支柱２０に発生する谷側へ向けた曲げモーメントと、山側へ向けた曲げモーメントＭｕとが互いに打消し合うように構成する。【選択図】図３
2015161105.tif 000002
【特許請求の範囲】
【請求項１】
複数の支柱と、前記複数の支柱の上部間に横架した防護ネットとを具備し、前記防護ネットの下辺を山側斜面に固定した防護柵であって、
防護ネットの上辺を支柱の上部山側に所定の距離を隔てて取り付けたことを特徴とする、
防護柵。
【請求項２】
前記支柱の上部に張出ブラケットを突設し、該張出ブラケットを介して防護ネットの上辺を支柱の上部山側に所定の距離を隔てて取り付けたことを特徴とする、請求項１に記載の防護柵。
【請求項３】
前記張出ブラケットは防護ネットの上辺と係合可能な開口を有することを特徴とする、請求項２に記載の防護柵。
【請求項４】
支柱本体に延長用支柱を継ぎ足して支柱を構成し、前記応力の変化点の近傍に支柱の接合部を形成したことを特徴とする、請求項１または２に記載の防護柵。
【請求項５】
前記支柱の上部間に間隔保持材を横架したことを特徴とする、請求項１または２に記載の防護柵。
【請求項６】
前記防護ネットはアンカーロープを具備し、該アンカーロープの下端を山側アンカーに接続したことを特徴とする、請求項１または２に記載の防護柵。
【発明の詳細な説明】
【技術分野】
【０００１】
本発明は雪崩、崩落土砂、落石等による災害を防止する防護柵に関し、より詳細には支柱の荷重負担を軽減した防護柵に関する。
【背景技術】
【０００２】
特許文献１〜３には、防護ネットの上辺を支柱上部に接続し、防護ネットの下辺を斜面山側に固定した防護柵が開示されている。
【先行技術文献】
【特許文献】
【０００３】
【特許文献１】特開平１０−２８０３３３号公報
【特許文献２】特開２００３−３４２５号公報
【特許文献３】特開２００２−３２２６１５号公報
【発明の開示】
【発明が解決しようとする課題】
【０００４】
特許文献１〜３に記載された防護柵にはつぎの問題点がある。
＜１＞防護ネットに衝撃荷重が作用すると、支柱には軸力と斜面谷側へ向けた曲げモーメント（転倒モーメント）が作用する。殊に支柱の根元部には応力が集中的に作用する。
したがって、支柱の設計にあたっては、衝撃荷重に耐え得るように支柱径を大径にしたり、鋼管内にコンクリートを充填した充填鋼管を使用したりして支柱を高強度に設計するだけでなく、支柱の根入れ長を深くしなければならない。
＜２＞支柱の耐力を高めるために、支柱を大径化したり、鋼管内にコンクリートを充填したりすると、支柱コストが嵩むだけでなく、重量が増して運搬性や取扱い性が悪くなる。
＜３＞支柱の根入れ深さが長くなるほど支柱の全長が長くなるため、支柱コストが嵩む問題と、支柱の全長が長くなるほど現場への搬入性および現場での作業性が悪くなる。
殊に、単位長さの単価が高価な高剛性の支柱を使用する場合は、支柱コストが非常に高いものとなる。
【０００５】
本発明は上記した問題点に鑑みて成されたもので、その目的とするところは、つぎの少なくともひとつの防護柵を提供することにある。
＜１＞従来と比べて支柱の荷重負担を軽減できること。
＜２＞支柱コストを削減すること。
＜３＞支柱の運搬性および取扱性を改善できること。
【課題を解決するための手段】
【０００６】
本発明は、複数の支柱と、前記複数の支柱の上部間に横架した防護ネットとを具備し、前記防護ネットの下辺を山側斜面に固定した防護柵であって、防護ネットの上辺を支柱の上部山側に所定の距離を隔てて取り付けて構成する。
防護ネットの上辺の取付け手段としては、前記支柱の上部に張出ブラケットを突設し、該張出ブラケットを介して防護ネットの上辺を支柱の上部山側に所定の距離を隔てて取り付ける。
前記張出ブラケットは防護ネットの上辺と係合可能な開口を有する。
支柱本体に延長用支柱を継ぎ足して支柱を構成し、応力の変化点の近傍に支柱の接合部を形成してもよい。
前記支柱の上部間には必要に応じて間隔保持材を横架する。
前記防護ネットはアンカーロープを具備し、該アンカーロープの下端を山側アンカーに接続する。
【発明の効果】
【０００７】
本発明は上記した構成を有することから、少なくともつぎのひとつの効果を奏する。
＜１＞防護ネットの上辺を支柱から所定の距離を隔てて支持するようにしたことで、従来と比べて支柱の負担荷重を大幅に軽減することができる。
＜２＞支柱の負担荷重が小さくなるので、支柱の設計強度を下げて経済的な設計が可能となる。
＜３＞支柱の下部を地盤へ直接に建て込む形態にあっては、支柱の根入れ長が短くなるから、支柱の全長を短くすることができる。
＜４＞支柱の全長が短くなれば、削孔長が短くなるだけでなく、支柱の運搬、取扱性もよくなる。
＜５＞延長用支柱を継ぎ足して支柱を構成しても、応力の変化点の近傍に支柱の接合部を形成すれば、支柱の接合部が強度的弱点にならずに済む。
そのため、防護柵を巨大な荷重が作用する過酷な環境下で使用することができる。
【図面の簡単な説明】
【０００８】
【図１】本発明に係る一部を省略した防護柵の斜視図
【図２】一部を省略した支柱上部の斜視図
【図３】本発明に係る防護柵のモデル図
【図４】張出ブラケットを有しない対比用の防護柵のモデル図
【発明を実施するための形態】
【０００９】
図１〜４を参照しながら本発明の実施の形態について説明する。
【００１０】
＜１＞防護柵
図１〜３を参照して説明すると、本発明に係る防護柵は、斜面等の地面１０に間隔を隔てて立設した複数の支柱２０と、支柱２０の上部山側に突設した張出ブラケット２５と、張出ブラケット２５を介してこれらの支柱２０間に横架した防護ネット３０とを具備する。
本発明では張出ブラケット２５を介して防護ネット３０の上辺を支柱２０の上部山側に所定の距離を隔てて取り付けるとともに、防護ネット３０の下辺を山側斜面の山側アンカー１１に固定するようにしたものである。
以下主要な構成部材について詳説する。
【００１１】
＜２＞防護ネット
防護ネット３０は支柱２０間の山側に横架した公知のネット状物であり、各種公知の防護用ネットを含む。
本例の防護ネット３０は、ネットの上下左右の周囲を包囲する枠ロープ３１と、複数のロープ材を交差して形成して枠ロープ３１の全面に付設したロープネット３２と、ロープネット３２に付設したロープネット３２より目合い寸法の小さな網体３３とにより構成している。枠ロープ３１には支柱２０のピッチに合せて縦断方向に向けてアンカーロープ３４が配置されている。
枠ロープ３１，３４、ロープネット３２、および網体３３の素材は、公知の鋼製、繊維製、樹脂製の何れでもよい。
【００１２】
＜３＞支柱
支柱２０は公知の型鋼や鋼管等の鋼材、コンクリート柱、鋼管とコンクリートを複合した充填鋼管、充填鋼管内に引張材や補強鋼材を埋設した高強度柱体等を適用することができる。
支柱２０の下部は地面１０に穿孔した建込み穴に建て込んで立設するか、或いは現場で構築した基礎コンクリートに立設する。
【００１３】
＜４＞張出ブラケット
支柱２０の上部には張出ブラケット２５が水平に突設してある。
支柱２０に張出ブラケット２５を設けたのは、防護ネット３０の上辺を支柱２０の上部山側へ向けて離隔させて支持するためである。
図２に例示した形態について説明すると、張出ブラケット２５は支柱２０に固着して水平に突設した横板２６と、横板２６に交差させて設けた縦板２７とにより構成し、張出ブラケット２５の一部に開設した開口２８を介して枠ロープ３１やアンカーロープ３４が接続可能になっている。
【００１４】
防護ネット３０の上辺を支持する手段は、例示した張出ブラケット２５に限定されず、防護ネット３０の上辺を支柱２０から離隔させて支持し得る構造体であれば適用可能である。
【００１５】
＜５＞間隔保持材
隣り合う支柱２０の上部間には間隔保持材２２が横架してあり、支柱２０の間隔を一定に保持するようになっている。
間隔保持材２２は圧縮耐力に優れた剛性部材であり、例えば鋼や鋳鉄で形成する。
図２に例示した間隔保持材２２と支柱２０の連結構造について説明すると、支柱２０の上部に設けた大径の天板２１には連結孔２１ａが設けられ、一方、間隔保持材２２のり端部に設けた接続ブラケット２３には連結孔２３ａが設けられ、両連結孔２１ａ，２３ａにピンやボルト等の連結要素２４を挿入することで間隔保持材２２と支柱２０の間が回動自在に連結されている。
尚、間隔保持材２２は必須ではなく、省略される場合がある。
【００１６】
［防護柵の特性］
つぎに図３を参照して本発明に係る防護柵の特性について説明する。
【００１７】
＜１＞衝撃荷重の吸収
図３に示した防護柵において、防護ネット３０の上辺は、張出ブラケット２５を介して支柱２０の上部山側に所定の距離Ｘを離隔して支持され、防護ネット３０の下辺は山側アンカー１１に固定されている。
防護ネット３０に斜面谷側へ向けた衝撃荷重Ｆが作用すると、防護ネット３０が変形し、防護ネット３０に作用した衝撃荷重Ｆを山側アンカー１１と支柱２０の強度で支持する。
【００１８】
＜２＞曲げモーメントの打ち消し合い
本発明では以下に説明する支柱２０に作用する曲げモーメントの打ち消し合いにより、支柱２０の負担荷重を軽減することができる。
【００１９】
＜２．１＞防護ネットから張出ブラケットへの荷重伝達
防護ネット３０に作用した衝撃荷重Ｆは防護ネット３０との上辺と張出ブラケット２５の係合部へ伝達し、さらに張出ブラケット２５を経由して支柱２０の上部へ伝達される。
【００２０】
＜２．２＞衝撃荷重の分力
防護ネット３０の上辺が支柱２０から距離Ｘを隔てて支持されているため、防護ネット３０と張出ブラケット２５の係合部には谷側へ向けた水平分力Ａと、鉛直分力Ｂが発生する。
【００２１】
＜２．３＞支柱に発生する曲げモーメント
本発明では防護ネット３０に作用した衝撃荷重Ｆを支柱２０へ直接伝えずに、張出ブラケット２５を経由して支柱２０へ伝達するように構成したことで、谷側へ向けた水平分力Ａは支柱２０に対して谷側へ向けた曲げモーメントＭｄを生成し、鉛直分力Ｂは支柱２０に対して山側へ向けた曲げモーメントＭｕを生成する。
【００２２】
支柱２０に対して山側へ向けた曲げモーメントＭｕは距離Ｘに比例して大きくなる。
支柱２０に生じる応力の変化点Ｐは、距離Ｘの長さに応じて変化する。
【００２３】
＜２．４＞モーメントの打ち消し合い
両曲げモーメントＭｄ，Ｍｕは作用方向が逆の関係にあることから、曲げモーメントＭｄ，Ｍｕが互いに打ち消し合って、支柱２０に作用する曲げモーメントを大幅に緩和することができる。
換言すれば、張出ブラケット２５を介して防護ネット３０を支柱２０から離隔して支持することで、支柱２０の全体に斜面山側へ向けた曲げ力がはたらく。斜面山側へ向けた曲げ力は支柱２０を斜面谷側へ向けて曲げようとする力を減衰して緩和する。
以上説明したように本発明では、防護ネット３０の上辺を支柱２０から距離Ｘを離隔させて支持することにより、支柱２０自体の負担荷重を軽減することができる。
殊に支柱２０の根元部の負担荷重が小さくなる。
【００２４】
＜２．５＞支柱の負担荷重軽減に伴う利点
支柱２０の負担荷重が小さくなれば、支柱２０の径を小径にするなどして支柱２０の設計強度を下げて経済的な設計が可能となる。
さらに支柱２０の下部を地面１０に直接に建て込む形態にあっては、支柱２０の根入れ長が短くなるから、支柱２０の全長も短くすることができる。
支柱２０の全長を短くできれば、削孔長が短くなるだけでなく、支柱２０の運搬、取扱性もよくなる。
【００２５】
また積雪用防護柵にあっては、支柱２０の負担荷重が極めて大きくなることがあり、巨大な雪圧荷重に対抗するために支柱２０の根入れ長を長くし、結果的に支柱２０の全長が鋼材の市販製品の長さを越えて設計される場合がある。
本発明では支柱本体に延長用支柱を繋ぎ合わせて支柱２０を形成しても、図３に示す応力の変化点Ｐの近傍に支柱２０の接合部を形成すれば、支柱２０の接合部が強度的弱点にならずに済むため、防護柵を過酷な環境下で使用することができる。
さらに従来と比較して支柱２０の間隔を広げることも可能である。
【００２６】
＜３＞対比の防護柵
図４に張出ブラケット２５を省略し、防護ネット３０の上辺を支柱２０の上部山側に取り付けた対比用の防護柵のモデル図を示す。
同時の防護柵にあっては、防護ネット３０に作用した衝撃荷重Ｆが支柱２０の上部へ直接伝達されるため、支柱２０の上部には山側へ向けた水平分力Ａと、鉛直分力Ｂが発生する。
【００２７】
谷側へ向けた水平分力Ａは支柱２０に対して谷側へ向けた曲げモーメントＭｄを生成し、鉛直分力Ｂは支柱２０の軸力となり、本発明の防護柵のような曲げモーメントの打ち消し合いは生じない。
【００２８】
張出ブラケット２５を省略した図４に示した防護柵では、衝撃荷重Ｆに比例して支柱２０の曲げモーメントＭｄと軸力が大きくなる。殊に支柱２０の根元部の負担荷重が最大となる。したがって、支柱２０の全体を高強度に設計しなければならない。
【符号の説明】
【００２９】
１０・・・・・地面
１１・・・・・山側アンカー
２０・・・・・支柱
２１・・・・・天板
２１ａ・・・・天板の連結孔
２２・・・・・間隔保持材
２３・・・・・接続ブラケット
２３ａ・・・・接続ブラケットの連結孔
２４・・・・・連結要素
２５・・・・・張出ブラケット
２８・・・・・張出ブラケットの開口
３０・・・・・防護ネット
３１・・・・・枠ロープ
３２・・・・・ロープネット
３３・・・・・網体
３４・・・・・アンカーロープ
【図１】
2015161105.tif 000003
【図２】
2015161105.tif 000004
【図３】
2015161105.tif 000005
【図４】
2015161105.tif 000006
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
谷側控えロープを具備しない複数の支柱と、前記複数の支柱の上部間に横架した防護ネットとを具備し、前記防護ネットの下辺を山側斜面に固定した防護柵であって、
防護ネットの上辺を支柱の上部山側に所定の距離を隔てて取り付けたことを特徴とする、
防護柵。
【請求項２】
前記支柱の上部に張出ブラケットを突設し、該張出ブラケットを介して防護ネットの上辺を支柱の上部山側に所定の距離を隔てて取り付けたことを特徴とする、請求項１に記載の防護柵。
【請求項３】
前記張出ブラケットは防護ネットの上辺と係合可能な開口を有することを特徴とする、請求項２に記載の防護柵。
【請求項４】
支柱本体に延長用支柱を継ぎ足して支柱を構成し、前記応力の変化点の近傍に支柱の接合部を形成したことを特徴とする、請求項１または２に記載の防護柵。
【請求項５】
前記支柱の上部間に間隔保持材を横架したことを特徴とする、請求項１または２に記載の防護柵。
【請求項６】
前記防護ネットはアンカーロープを具備し、該アンカーロープの下端を山側アンカーに接続したことを特徴とする、請求項１または２に記載の防護柵。
【手続補正２】
【補正対象書類名】明細書
【補正対象項目名】０００６
【補正方法】変更
【補正の内容】
【０００６】
本発明は、谷側控えロープを具備しない複数の支柱と、前記複数の支柱の上部間に横架した防護ネットとを具備し、前記防護ネットの下辺を山側斜面に固定した防護柵であって、防護ネットの上辺を支柱の上部山側に所定の距離を隔てて取り付けて構成する。
防護ネットの上辺の取付け手段としては、前記支柱の上部に張出ブラケットを突設し、該張出ブラケットを介して防護ネットの上辺を支柱の上部山側に所定の距離を隔てて取り付ける。
前記張出ブラケットは防護ネットの上辺と係合可能な開口を有する。
支柱本体に延長用支柱を継ぎ足して支柱を構成し、応力の変化点の近傍に支柱の接合部を形成してもよい。
前記支柱の上部間には必要に応じて間隔保持材を横架する。
前記防護ネットはアンカーロープを具備し、該アンカーロープの下端を山側アンカーに接続する。
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
谷側控えロープを具備しない複数の支柱と、前記複数の支柱の上部間に横架した防護ネットとを具備し、前記防護ネットの下辺を山側斜面に固定した防護柵であって、
防護ネットの上辺を支柱の上部山側に前記支柱の径より大きい距離を隔てて取り付けたことを特徴とする、
防護柵。
【請求項２】
前記支柱の上部に張出ブラケットを突設し、該張出ブラケットを介して防護ネットの上辺を支柱の上部山側に前記支柱の径より大きい距離を隔てて取り付けたことを特徴とする、請求項１に記載の防護柵。
【請求項３】
前記張出ブラケットは防護ネットの上辺と係合可能な開口を有することを特徴とする、請求項２に記載の防護柵。
【請求項４】
支柱本体に延長用支柱を継ぎ足して支柱を構成し、支柱に生じる応力の変化点の近傍に支柱の接合部を形成したことを特徴とする、請求項１または２に記載の防護柵。
【請求項５】
前記支柱の上部間に間隔保持材を横架したことを特徴とする、請求項１または２に記載の防護柵。
【請求項６】
前記防護ネットはアンカーロープを具備し、該アンカーロープの下端を山側アンカーに接続したことを特徴とする、請求項１または２に記載の防護柵。
【手続補正２】
【補正対象書類名】明細書
【補正対象項目名】０００６
【補正方法】変更
【補正の内容】
【０００６】
本発明は、谷側控えロープを具備しない複数の支柱と、前記複数の支柱の上部間に横架した防護ネットとを具備し、前記防護ネットの下辺を山側斜面に固定した防護柵であって、防護ネットの上辺を支柱の上部山側に前記支柱の径より大きい距離を隔てて取り付けて構成する。
防護ネットの上辺の取付け手段としては、前記支柱の上部に張出ブラケットを突設し、該張出ブラケットを介して防護ネットの上辺を支柱の上部山側に前記支柱の径より大きい距離を隔てて取り付ける。
前記張出ブラケットは防護ネットの上辺と係合可能な開口を有する。
支柱本体に延長用支柱を継ぎ足して支柱を構成し、支柱に生じる応力の変化点の近傍に支柱の接合部を形成してもよい。
前記支柱の上部間には必要に応じて間隔保持材を横架する。
前記防護ネットはアンカーロープを具備し、該アンカーロープの下端を山側アンカーに接続する。